(57)【要約】【課題】取付取外し作業が簡単であり、また、コストが安価であり、さらに、防水性が高いリモコンの防水取付構造を得ることを目的とする。【解決手段】リモコン本体５と、配線６と、固定部材７と、シール部材８、９、１１と、を備える。シール部材は、固定部材７のフランジ体２２と取付面２との間に水密に介在される第１シール部材８と、固定部材７の筒体２１の内周面とリモコン本体５の筒部１９の外周面との間に水密に介在される第２シール部材９と、リモコン本体５の配線取出口１８および筒部１９の内周面と配線６の外周面との間に介在されている第３シール部材１１と、を有する。【選択図】図１
2011003996.tif 000002
【特許請求の範囲】
【請求項１】
リモコン本体を取付面に防水して取り付けるリモコンの防水取付構造において、
前記取付面に固定される固定部材と、
前記固定部材を介して前記取付面に着脱可能に取り付けられるリモコン本体と、
シール部材と、
を備え、
前記固定部材は、前記取付面の穴の中に挿入される筒体と、フランジ体と、を有し、
前記リモコン本体は、前記固定部材の前記筒体の中に挿入される筒部と、前記筒部の中を通って外に取り出されている配線と、を有し、
前記シール部材は、
前記固定部材の前記フランジ体と前記取付面との間に水密に介在される第１シール部材と、
前記固定部材の前記筒体の内周面と前記リモコン本体の前記筒部の外周面との間に水密に介在される第２シール部材と、
前記リモコン本体の配線取出口および前記筒部の内周面と前記配線の外周面との間に水密に介在される第３シール部材と、
を有する、
ことを特徴とするリモコンの防水取付構造。
【請求項２】
リモコン本体を取付面に防水して取り付けるリモコンの防水取付方法において、
固定部材の筒体を壁の穴の中に差し込むとともに、前記固定部材のフランジ体と前記壁の取付面との間に第１シール部材を水密に介在させて、前記固定部材を前記壁に固定する第１ステップと、
前記リモコン本体の筒部を前記固定部材の前記筒体の中に差し込むとともに、前記リモコン本体の前記筒部の外周面と前記固定部材の前記筒体の内周面との間に第２シール部材を水密に介在させ、これと同時に、前記リモコン本体の中から前記筒部の中を通って前記リモコン本体の外に取り出されている配線を前記固定部材の前記筒体の中および前記壁の穴の中を通すとともに、前記リモコン本体の配線取出口および前記筒部の内周面と前記配線の外周面との間に第３シール部材を水密に介在させて、前記リモコン本体を前記固定部材を介して前記壁の取付面に着脱可能に取り付ける第２ステップと、
を有する、
ことを特徴とするリモコンの防水取付方法。
【発明の詳細な説明】
【技術分野】
【０００１】
本発明は、リモコンの防水取付構造およびリモコンの防水取付方法に関するものである。
【背景技術】
【０００２】
従来のリモコンの防水取付構造およびリモコンの防水取付方法は、ケースの裏側にリード線の取り出し部となる筒状部を突設し、その筒状部を浴室の壁の取付穴に差し込んで固定し、ケースの裏側全面と壁の表面との間に防水性の面状シールを介装し、筒状部内に栓体を固定し、その栓体と筒状部内の突条との間にＯリングを介装して、水密性を保つものである（特許文献１）。また、遠隔操作ユニットの背面に筒部を突出させ、コードを筒部内に挿通させ、取付台の透孔に筒体を圧入固定し、この筒体の孔部内部に遠隔操作ユニットの筒部を挿通し、筒体の内周面と筒部の外周面との間にＯリングを介在させ、遠隔操作ユニットと取付台との間に環状シールを介在させて、水密性を保つものである（特許文献２）。
【先行技術文献】
【特許文献】
【０００３】
【特許文献１】特開平５−２７６５８０号公報
【特許文献２】特開平９−２２２２６２号公報
【発明の概要】
【発明が解決しようとする課題】
【０００４】
ところが、前者は、ケースと壁との間を面状シールで防水するものであるから、面状シールの両面とケース面および壁面とを接着した場合には、ケースを壁から取り外したりまた再度取り付けたりする作業が面倒である。また、前者は、面状シールを使用するものであるから、面状シールの体積が大きくなり、その分コスト高となる。一方、後者は、筒体の内周面と筒部の外周面との間をＯリングで防水し、かつ、遠隔操作ユニットと取付台との間を環状シールで防水するものであるが、取付台と壁面との間を防水するシール部材が介在されていないので、筒体と取付台との間の防水性に課題がある。
【０００５】
本発明は、上記の事情に鑑みてなされたものであり、取付取外し作業が簡単であり、また、コストが安価であり、さらに、防水性が高いリモコンの防水取付構造およびリモコンの防水取付方法を得ることを目的とする。
【課題を解決するための手段】
【０００６】
上述した課題を解決し、目的を達成するために、本発明は、取付面に固定される固定部材と、固定部材を介して取付面に着脱可能に取り付けられるリモコン本体と、シール部材と、を備え、固定部材は、取付面の穴の中に挿入される筒体と、フランジ体と、を有し、リモコン本体は、固定部材の筒体の中に挿入される筒部と、筒部の中を通って外に取り出されている配線と、を有し、シール部材は、固定部材のフランジ体と取付面との間に水密に介在される第１シール部材と、固定部材の筒体の内周面とリモコン本体の筒部の外周面との間に水密に介在される第２シール部材と、リモコン本体の配線取出口および筒部の内周面と配線の外周面との間に水密に介在される第３シール部材と、を有するものである。
【発明の効果】
【０００７】
本発明によれば、リモコンの交換などの際、取付面に固定部材を残してリモコンの着脱可能である取付取外し作業性に優れさらに高い防水性を備えたリモコンを得ることができる。
【図面の簡単な説明】
【０００８】
【図１】図１は、本発明の実施の形態でリモコン本体を取付面に取り付けた状態を示す断面図である。
【図２】図２は、本発明の実施の形態でリモコン本体と取付面と固定部材とシール部材との分解状態を示す断面図である。
【発明を実施するための形態】
【０００９】
以下に、本発明にかかるリモコンの防水取付構造およびリモコンの防水取付方法の実施の形態を図面に基づいて詳細に説明する。なお、この実施の形態によりこの発明が限定されるものではない。
【００１０】
実施の形態．
図１、図２は、本発明にかかるリモコンの防水取付構造およびリモコンの防水取付方法の実施の形態を示す。なお、図面は、概念図である。
【００１１】
以下、実施の形態にかかるリモコンの防水取付構造およびリモコンの防水取付方法の構成について説明する。図において、符号１は、たとえば、浴室などの壁である。壁１の表面すなわち取付面２には、円筒形状の穴３とネジ穴４とがそれぞれ開設されている。
【００１２】
実施の形態に係るリモコンの防水取付構造およびリモコンの防水取付方法は、リモコン本体５と、配線６と、固定部材７と、シール部材８、９、１１と、を備えるものである。
【００１３】
リモコン本体５は、取付部材としてのネジ１２により取付面２に着脱可能に取り付けられる。すなわち、ネジ穴４にネジ１２をねじ込むことにより、リモコン本体５を取付面２に着脱可能に取り付けることができる。
【００１４】
リモコン本体５は、扁平矩形箱状の水密性のケースからなる。すなわち、リモコン本体５は、何れも射出成形されたケース表側部１３とケース裏側部１４とが水密に接合されて形成されている。ケース裏側部１４の表面すなわちリモコン本体５の裏面は、取付面２に対向する。ケース表側部１３およびケース裏側部１４の周辺部（端部）には、ネジ１２が挿通する挿通穴１５がそれぞれ設けられている。
【００１５】
リモコン本体５の中には、スイッチなどの電気信号発生器具１６が収納されている。信号発生器具１６と本体機器（図示せず）とには、配線６がそれぞれ電気的に接続されている。
【００１６】
ケース表側部１３には、気密でかつ水密なフィルムが被着されていて、かつ、電気信号発生器具１６の操作手段である押しボタン１７が複数個備えられている。
【００１７】
ケース裏側部１４の中央部には、円筒形の配線取出口１８を介してリモコン本体５の中と連通する円筒形状の筒部１９が後方に突出して一体に設けられている。配線取出口１８および筒部１９は、配線６をリモコン本体５の中からリモコン本体５の外に取り出すためのものである。筒部１９の外周面には、凹状の溝部２０が設けられている。
【００１８】
固定部材７は、たとえば、金属（板金）から構成されている。固定部材７は、円筒形状の筒体２１と、筒体２１の一端に設けられている円形のフランジ体２２と、から構成されている。固定部材７の筒体２１の外径と壁１の穴３の内径とは、ほぼ一致するか、固定部材７の筒体２１の外径が壁１の穴３の内径よりも小さい。固定部材７の筒体２１の内径とリモコン本体５の筒部１９の外径とは、ほぼ一致するか、固定部材７の筒体２１の内径がリモコン本体５の筒部１９の外径よりも大きい。
【００１９】
シール部材は、第１シール部材８と、第２シール部材９と、第３シール部材１１と、からなる。
【００２０】
第１シール部材８は、固定部材７のフランジ体２２の裏面（フランジ体２２の筒体２１との接続側（付け根側）の面）と壁１の取付面２との間に水密に介在されて固定部材７のフランジ体２２の裏面と壁１の取付面２との間を防水するものである。第１シール部材８は、たとえば、エプトシーラ（独立発泡性ＥＰＤＭ系クッションシート材）からなるものであって、円環形状をなす。第１シール部材８は、固定部材７のフランジ体２２の裏面に両面接着テープなど（図示せず）により接着固定されている。
【００２１】
第２シール部材９は、固定部材７の筒体２１の内周面とリモコン本体５の筒部１９の外周面との間に水密に介在されて固定部材７の筒体２１の内周面とリモコン本体５の筒部１９の外周面との間を防水するものである。第２シール部材９は、たとえば、Ｏリングからなるものである。第２シール部材９は、リモコン本体５の筒部１９の溝部２０に装着されている。
【００２２】
第３シール部材１１は、リモコン本体５の配線取出口１８および筒部１９の内周面と配線６の外周面との間に介在されてリモコン本体５の配線取出口１８および筒部１９の内周面と配線６の外周面との間を防水するものである。第３シール部材１１は、たとえば、ゴム製のグロメットからなるものであって、円筒形状をなし、かつ、中央部には配線６を水密に取り出すための取り出し穴２３が設けられている。第３シール部材１１の外径とリモコン本体５の配線取出口１８および筒部１９の内径とは、ほぼ一致するか、第３シール部材１１の外径がリモコン本体５の配線取出口１８および筒部１９の内径よりも大きい。第３シール部材１１の取り出し穴２３の内径と配線６の外径とは、ほぼ一致するか、第３シール部材１１の取り出し穴２３の内径が配線６の外径よりも小さい。第３シール部材１１は、リモコン本体５の配線取出口１８および筒部１９の内周面に水密に設けられている。かつ、第３シール部材１１の取り出し穴２３中には、配線６がリモコン本体５の中からリモコン本体５の外に水密に取り出されている。この結果、配線６は、リモコン本体５の中から配線取出口１８に設けられている第３シール部材１１を経て筒部１９の中を通ってリモコン本体５の外に取り出されている。
【００２３】
実施の形態にかかるリモコンの防水取付構造およびリモコンの防水取付方法は、以上のごとき構成からなり、以下、その取付方法および取外方法について説明する。
【００２４】
まず取付方法は、図２中の矢印Ａのように、固定部材７の筒体２１を壁１の穴３の中に差し込み、フランジ体２２の裏面に接着固定されている第１シール部材８を壁１の取付面２に両面接着テープ（図示せず）により接着固定する。なお、この両面接着テープは、あらかじめ第１シール部材８に接着固定しておいてもよい。このようにして、第１シール部材８が壁１の取付面２と固定部材７のフランジ体２２の裏面との間に水密に介在された状態で、固定部材７が壁１に固定される。
【００２５】
つぎに、図２中の矢印Ｂのように、リモコン本体５の筒部１９を固定部材７の筒体２１の中に差し込む（圧入する）。このとき、第２シール部材９がリモコン本体５の筒部１９の外周面と固定部材７の筒体２１の内周面との間に水密に介在される。
【００２６】
これと同時に、リモコン本体５の中から配線取出口１８に設けられている第３シール部材１１を経て筒部１９の中を通って外に取り出されている配線６を固定部材７の筒体２１の中および壁１の穴３の中を通す。このとき、第３シール部材１１はリモコン本体５の配線取出口１８および筒部１９の内周面と配線６の外周面との間に水密に介在される。また、ネジ１２をリモコン本体５の挿通穴１５に挿通して壁１のネジ穴４にねじ込む。これにより、リモコン本体５がネジ１２により壁１の取付面２に着脱可能に取り付けられる。
【００２７】
取外方法は、ネジ１２を壁１のネジ穴４から外し、次にリモコン本体５の筒部１９を固定部材７の筒体２１から引き抜く。これにより、リモコン本体５を壁１の取付面２から取り外すことができる。この結果、リモコン本体５を交換することができる。
【００２８】
実施の形態にかかるリモコンの防水取付構造およびリモコンの防水取付方法は、以上のごとき構成からなり、以下、その作用について説明する。
【００２９】
水（図示せず）がリモコン本体５にかかる。すると、水が固定部材７のフランジ体２２の裏面と壁１の取付面２との間から中に浸入しようとするのを、固定部材７のフランジ体２２の裏面と壁１の取付面２との間に水密に介在されている第１シール部材８により防ぐことができる。
【００３０】
また、壁１の取付面２の凹凸などにより、水が固定部材７のフランジ体２２の裏面と壁１の取付面２との間に浸入することを許した場合。この場合には、水が固定部材７の筒体２１の内周面とリモコン本体５の筒部１９の外周面との間から中に浸入しようとするのを、固定部材７の筒体２１の内周面とリモコン本体５の筒部１９の外周面との間に水密に介在されているＯリングの第２シール部材９により防ぐことができる。
【００３１】
特に、Ｏリングの第２シール部材９は、固定部材７の筒体２１の内周面とリモコン本体５の筒部１９の外周面との間に水密に介在されていて、水がＯリングの第２シール部材９よりも中に侵入するのを防止するものである。このために、リモコン本体５の裏面と壁１の取付面２との間に介在されているシール部材と比較して、リモコン本体５のケース裏側部１４の表面の歪みや反り、および、壁１の取付面２の凹凸の影響を受けることが無いので、水がＯリングの第２シール部材９よりも中に侵入するのを確実に防止することができる。
【００３２】
また、壁１の取付面２の凹凸などにより、水がリモコン本体５の裏面と壁１の取付面２との間に浸入することを許した場合、および、水が固定部材７のフランジ体２２の裏面と壁１の取付面２との間の第１シール部材８より中に浸入することを許した場合でも、水が壁１の取付面２に沿って重力方向に落ちるので、水が重力方向と直交する固定部材７の筒体２１の内周面とリモコン本体５の筒部１９の外周面との間に侵入することは極希であるから、水がＯリングの第２シール部材９よりも中に侵入するのを確実に防止することができる。
【００３３】
さらに、水が固定部材７の筒体２１の内周面とリモコン本体５の筒部１９の外周面との間のＯリングの第２シール部材９より中に浸入することを許した場合。この場合には、水がリモコン本体５の筒部１９の内周面と配線６の外周面との間から中に浸入しようとするのを、リモコン本体５の筒部１９の内周面と配線６の外周面との間に水密に介在されている第３シール部材１１により防ぐことができる。
【００３４】
このように、実施の形態にかかるリモコンの防水取付構造およびリモコンの防水取付方法は、水がリモコン本体５にかかっても、水がリモコン本体５内に浸入するのを確実に防止することができる。
【００３５】
実施の形態にかかるリモコンの防水取付構造およびリモコンの防水取付方法は、以上のごとき構成および作用からなり、以下、その効果について説明する。
【００３６】
実施の形態にかかるリモコンの防水取付構造およびリモコンの防水取付方法は、リモコン本体５と取付面２との間を第１シール部材８と第２シール部材９で防水するものであるから、面状のシール部材で防水する従来のものと比較して、取付取外し作業が簡単となり、また、コストを安価にすることができる。さらに、実施の形態にかかるリモコンの防水取付構造およびリモコンの防水取付方法は、固定部材７の筒体２１の内周面とリモコン本体５の筒部１９の外周面との間をＯリングの第２シール部材９で防水し、さらに、固定部材７のフランジ体２２と取付面２との間を第１シール部材８で防水するものであるから、固定部材７のフランジ体２２と取付面２との間を第１シール部材８により確実に防水することができ、高い防水性を得ることができる。
【００３７】
しかも、実施の形態にかかるリモコンの防水取付構造およびリモコンの防水取付方法は、リモコン本体５の配線取出口１８および筒部１９の内周面と配線６の外周面との間に介在されている第３シール部材１１により、リモコン本体５の配線取出口１８および筒部１９の内周面と配線６の外周面との間を防水するものである。このために、実施の形態にかかるリモコンの防水取付構造およびリモコンの防水取付方法は、水がリモコン本体にかかっても、水がリモコン本体内に浸入するのを確実に防止することができる。
【産業上の利用可能性】
【００３８】
以上のように、本発明にかかるリモコンの防水取付構造およびリモコンの防水取付方法は、浴室などの水がかかりやすい場所の取付面（壁面）に防水して取り付けるリモコンの防水取付構造に有用である。
【符号の説明】
【００３９】
１  壁
２  取付面
３  穴
４  ネジ穴
５  リモコン本体
６  配線
７  固定部材
８  第１シール部材
９  第２シール部材
１１  第３シール部材
１２  ネジ
１３  ケース表側部
１４  ケース裏側部
１５  挿通穴
１６  電気信号発生器具
１７  押しボタン
１８  配線取出口
１９  筒部
２０  溝部
２１  筒体
２２  フランジ体
２３  取り出し穴
【図１】
2011003996.tif 000003
【図２】
2011003996.tif 000004